(57)【特許請求の範囲】
【請求項１】
肌対向面を形成する表面シート、非肌対向面を形成する裏面シート及び両シート間に介在された吸収体を具備する本体を備え、着用者の前後方向に相当する縦方向とこれに直交する横方向とを有する吸収性パッドであって、
前記吸収体は、着用時に着用者の股下に対向配置される股下部と、該股下部よりも着用者の腹側に配される前方部と、該股下部よりも着用者の背側に配される後方部とを縦方向に有し、且つ上層と該上層の非肌対向面側に配される下層とからなる積層構造を含んで構成されており、
前記上層及び前記下層は、それぞれ、中央吸収体と、該中央吸収体の両側部に設けられた一対の側部吸収体とを具備し、且つ該中央吸収体と一対の該側部吸収体それぞれとの間に、当該層を厚み方向に貫通する溝を有し、
前記上層の前記溝は、前記下層の前記中央吸収体及び前記側部吸収体とは重ならずに、該下層の前記溝と重なっており、
前記上層の前記溝は、平面視において前記股下部に縦方向に延びる直線状部を有し、且つ該直線状部の縦方向前端から縦方向前方且つ横方向外方に向かって延びる屈曲部を有し、
前記上層の前記溝と前記下層の前記溝とは平面視形状が互いに相似の関係にあり、且つ該下層の該溝の方が該上層の該溝に比して長さ及び幅が大きく、
前記上層の前記溝の幅は、前記吸収体の無加圧下の厚みよりも大きい吸収性パッド。
【請求項２】
前記上層の前記溝及び前記下層の前記溝の少なくとも一方は、前記吸収体の周縁部に開放されておらずに閉鎖端部を有する請求項１記載の吸収性パッド。
【請求項３】
前記本体の縦方向に沿う左右両側部に、少なくとも前記股下部において着用時に着用者の肌側に向かって起立する一対の立体ギャザーが設けられており、該立体ギャザーは、該本体側を基端とし着用者の肌側に自由端をなすように起立するものであり、
前記吸収性パッドの各部を伸長させて該吸収性パッドを平面状に拡げた展開状態とした場合に、前記立体ギャザーの前記自由端は、前記直線状部よりも横方向外方に位置している請求項１又は２記載の吸収性パッド。
【請求項４】
前記立体ギャザーの前記基端は、前記吸収性パッドの平面視において、前記上層の前記側部吸収体の縦方向に沿う側縁又はその近傍と重なり、且つ前記直線状部に対して平行となっている請求項３記載の吸収性パッド。
【請求項５】
前記吸収性パッドを着用する際の該吸収性パッドの引き上げ動作により、前記上層及び前記下層それぞれの前記側部吸収体が、該下層の前記中央吸収体の非肌対向面側に一体的に移動してこれと重なるようになされている請求項１〜４の何れか一項に記載の吸収性パッド。
【請求項６】
前記吸収体は、前記後方部より縦方向前方側に、縦方向前後に比して横方向の長さが短い括れ部を有し、該括れ部の縦方向に沿う側縁に、縦方向に沿って延びる直線状側縁と該直線状側縁の縦方向前端から縦方向前方且つ横方向外方に向かって延びる屈曲側縁とが存し、該屈曲側縁の延長線上又はその近傍に、前記屈曲部が存している請求項１〜５の何れか一項に記載の吸収性パッド。
【請求項７】
前記上層と前記下層との間に中間シートが介在され、これら両層それぞれと該中間シートとが接合されている請求項１〜６の何れか一項に記載の吸収性パッド。
【請求項８】
前記中間シートは、前記表面シート及び前記上層とは異なる色であり、前記吸収性パッドを該表面シート側から目視した場合に、該中間シートの色が前記上層の前記溝を介して視認可能になされている請求項７記載の吸収性パッド。
【発明の詳細な説明】
【技術分野】
【０００１】
本発明は、使い捨ておむつ等の吸収性物品（アウター）と重ねて使用される吸収性パッド（インナー）に関する。
【背景技術】
【０００２】
従来、尿等の排泄物の処理に伴う経済的、労力的な負担の軽減を目的として、吸収性パッドを、使い捨ておむつ等の吸収性物品と重ねて使用することが行われている。例えば、吸収性パッドの一種である尿取りパッドは、身体機能が衰えたり、疾患により衰弱した成人（多くは高齢者）等が着用する使い捨ておむつの表面シートの上に配置され、失禁した尿を吸収保持させるのに使用されるところ、排泄される尿の量が比較的少量の場合には、尿取りパッドのみを交換するだけで済み、使い捨ておむつの交換頻度を減らすことができる。
【０００３】
また、吸収性パッドや吸収性物品において、フィット性や防漏性の向上等の観点から、吸収体に、該吸収体を厚み方向に貫通する溝を形成することが行なわれている。例えば特許文献１には、上層吸収体と下層吸収体との二層構造の吸収体を具備する吸収性パッドにおいて、該下層吸収体に、表裏面に貫通する下層スリットを形成することが記載されている。この下層スリットは、下層吸収体の後方部（下層吸収体における着用者の背側に配される部位）の縦方向に沿う両側縁部に開放されていて該両側縁部に開放端部を有していると共に、股下部（下層吸収体における着用者の股下に対向配置される部位）に縦方向に延びる直線状部を有し、且つ該開放端部と該直線状部とが繋がっている。特許文献１によれば、下層スリットによる作用効果として、尿の拡散経路の確保により、吸収スピードが向上し、尿の漏れ防止効果が挙げられている（特許文献１の〔００４７〕の記載等参照）。
【０００４】
また特許文献２には、上層と下層との二層構造の吸収体を具備する吸収性パッドにおいて、該下層にスリットからなる易折り曲げ部を形成することが記載されている。この易折り曲げ部は、股間部（縦方向の中央部）に位置し縦方向に延びる線状の股間部易折り曲げ部３ｙと、該股間部よりも腹側に位置し横方向に延びる線状の腹側易折り曲げ部３ｘとからなり、両易折り曲げ部３ｘ，３ｙは繋がっている。特許文献２によれば、易折り曲げ部３ｘ，３ｙによる作用効果として、着用中に吸収性パッドが両易折り曲げ部３ｘ，３ｙにて適宜折れ曲がることによるフィット性の向上が挙げられている（特許文献２の〔００４２〕〜〔００４７〕及び〔００５２〕の記載等参照）。
【０００５】
また特許文献３には、上層と下層との二層構造の吸収体を具備する吸収性物品において、これら両層を厚み方向に貫通するスリットを設け、該スリットによって該吸収体を中央部と両側部とに分割することが記載されている。このスリットは吸収体の括れ部に位置し、前後方向（縦方向）に延びる一対の前後方向スリットと、該前後方向スリットの前端部から該吸収体の側縁まで達する前側スリットと、該前後スリットの後端側から該吸収体の側縁まで達する後側スリットとを含み、該前側スリットは、前後方向と直交する方向（横方向）に延びている。特許文献３によれば、スリットによって吸収体が分割されていることにより、吸収体に縒れや割れが発生し難く尿の漏れ出しが改善されるとされている。
【先行技術文献】
【特許文献】
【０００６】
【特許文献１】特開２０１２−１０９５１号公報
【特許文献２】特開２００９−２１９８２６号公報
【特許文献３】特開２０１２−１１５４６４号公報
【発明の概要】
【発明が解決しようとする課題】
【０００７】
近年、夜間就寝中に使い捨ておむつ等の吸収性物品を着用する場合にその着用者が安眠できるようにする観点、及びその吸収性物品の交換作業を行う者（介護者等）の労力低減の観点から、長時間に亘って安定した吸収性能を発現し連続着用が可能な高吸収容量の吸収性パッドが要望されている。吸収性パッドを高吸収容量とするためには、縦方向や横方向の寸法等を大きくするのが効果的であるが、そのような大型の吸収性パッドは、着用者の股下部にあて難く、着用者の身体に沿い難く、着用中に着用者の肌との間に隙間を生じたり、適切な着用位置からずれたりするおそれがあり、着用感や漏れ防止性に改良の余地がある。このように、吸収性パッドにおいては、良好な着用感とあて易さ、吸収性能の両立が課題となっている。
【０００８】
特許文献１〜３に記載の吸収性パッドあるいは使い捨ておむつは、前述した、吸収体を厚み方向に貫通する溝（スリット、切離部）が形成されていることにより、従来品に比して着用感や吸収性能等の諸特性において一定の向上は見られるものの、改良の余地がある。着用者の股下部へのあて易さと着用感及び吸収性能との両立を果たした吸収性パッドは未だ提供されていない。
【０００９】
従って本発明の課題は、着用者の股下部にあて易く、着用感が良好で、吸収性能に優れる吸収性パッドに関する。
【課題を解決するための手段】
【００１０】
本発明は、肌対向面を形成する表面シート、非肌対向面を形成する裏面シート及び両シート間に介在された吸収体を具備する本体を備え、着用者の前後方向に相当する縦方向とこれに直交する横方向とを有する吸収性パッドであって、前記吸収体は、着用時に着用者の股下に対向配置される股下部と、該股下部よりも着用者の腹側に配される前方部と、該股下部よりも着用者の背側に配される後方部とを縦方向に有し、且つ上層と該上層の非肌対向面側に配される下層とからなる積層構造を含んで構成されており、前記上層及び前記下層は、それぞれ、中央吸収体と、該中央吸収体の両側部に設けられた一対の側部吸収体とを具備し、且つ該中央吸収体と一対の該側部吸収体それぞれとの間に、当該層を厚み方向に貫通する溝を有し、前記上層の前記溝及び前記下層の前記溝の少なくとも一方は、前記吸収体の周縁部に開放されておらずに閉鎖端部を有し、前記上層の前記溝は、前記下層の前記中央吸収体及び前記側部吸収体とは重ならずに、該下層の前記溝と重なっており、前記上層の前記溝は、平面視において前記股下部に縦方向に延びる直線状部を有し、且つ該直線状部の縦方向前端から縦方向前方且つ横方向外方に向かって延びる屈曲部を有する吸収性パッドを提供することにより、前記課題を解決したものである。
【発明の効果】
【００１１】
本発明によれば、着用者の股下部にあて易く、着用感が良好で、吸収性能に優れる吸収性パッドが提供される。
【図面の簡単な説明】
【００１２】
【図１】図１は、本発明の吸収性パッドの一実施形態の各部を伸長させて平面状に拡げた、展開状態の該吸収性パッドの肌対向面側（表面シート側）を模式的に示す平面図である。
【図２】図２は、図１のＩ−Ｉ線断面を模式的に示す断面図である。
【図３】図３（ａ）は、図１に示す吸収性パッドにおける吸収体の上層を模式的に示す平面図、図３（ｂ）は、該吸収体の下層を模式的に示す平面図である。
【図４】図４は、図１に示す吸収性パッドの使用形態を模式的に示す断面図であり、該吸収性パッドを使い捨ておむつの肌対向面側に配置した状態を示す図２相当図である。
【図５】図５は、図１に示す吸収性パッドの着用状態を模式的に示す断面図である。
【図６】図６（ａ）〜図６（ｃ）は、何れも吸収性パッドを着用する際の吸収体の状態を説明する図であり、図６（ａ）は本発明に係る吸収体を示し、図６（ｂ）及び図６（ｃ）は何れも本発明の範囲外の吸収体を示す。
【図７】図７（ａ）〜図７（ｃ）は、何れも吸収体における溝の重なり部分と着用者のそけい部との関係を説明する図であり、図７（ａ）は本発明に係る吸収体の要部を示し、図７（ｂ）及び図７（ｃ）は何れも本発明の範囲外の吸収体の要部を示す。
【図８】図８（ａ）〜図８（ｃ）は、何れも本発明に係る吸収体の他の実施形態の要部を模式的に示す平面図である。
【発明を実施するための形態】
【００１３】
以下、本発明の吸収性パッドを、その好ましい一実施形態に基づき図面を参照して説明する。本実施形態の吸収性パッド１は、図１及び図２に示すように、肌対向面を形成する表面シート２、非肌対向面を形成する裏面シート３及び両シート２，３間に介在された吸収体４を具備する本体１５を備え、着用者の前後方向に相当する縦方向Ｘとこれに直交する横方向Ｙとを有する。
【００１４】
尚、本明細書において、肌対向面は、吸収性パッド又はその構成部材（例えば吸収体４、本体１５）における、吸収性パッドの着用時に着用者の肌側に向けられる面であり、非肌対向面は、吸収性パッド又はその構成部材における、吸収性パッドの着用時に肌側とは反対側（着衣側）に向けられる面である。また、縦方向Ｘは、吸収性パッド又はその構成部材の長辺に沿う方向（長手方向）に一致し、横方向Ｙは、吸収性パッド又はその構成部材の幅方向に一致する。
【００１５】
本体１５（吸収体４）は、図１に示す如き平面視において一方向（縦方向Ｘ）に長い形状をしており縦長である。図２に示すように、本体１５の肌対向面を形成する表面シート２は、吸収体４の肌対向面の全域を被覆しており、また、本体１５の非肌対向面を形成する裏面シート３は、吸収体４の非肌対向面の全域を被覆し、更に吸収体４の縦方向に沿う両側縁（後述する下層の縦方向に沿う両側縁）から横方向Ｙの外方に延出している。また、両シート２，３は、それぞれ、吸収体４の縦方向Ｘの前端（後述する前方部Ｆ側の縦方向端部）及び後端（後述する後方部Ｒ側の縦方向端部）それぞれから縦方向Ｘの外方に延出し、それらの延出部において、接着剤、ヒートシール、超音波シール等の公知の接合手段によって互いに接合されている。
【００１６】
本実施形態の主たる特徴部分の１つである吸収体４について説明すると、吸収体４は、着用時に着用者の股下に対向配置される股下部Ｍと、該股下部Ｍよりも着用者の腹側に配される前方部Ｆと、該股下部Ｍよりも着用者の背側に配される後方部Ｒとを縦方向Ｘに有している。ここでいう「着用時」は、通常の適正な着用位置（当該吸収性パッドの正しい着用位置）が維持された状態を意味し、吸収性パッドが該着用位置からずれた状態にある場合は含まない。前方部Ｆ、股下部Ｍ及び後方部Ｒは、吸収性パッドの各部を伸長させて該吸収性パッドを平面状に拡げた展開状態の吸収体４において、その縦方向Ｘの全長を略３等分するように３領域に区分したときの各領域である。吸収体４と表面シート２及び裏面シート３それぞれとは接着剤によって接合されている。
【００１７】
吸収体４は、上層５と、該上層５の非肌対向面側に配される下層６とからなる積層構造（二層構造）を含んで構成されている。図２に示すように、上層５は、吸水性材料を主体とする上層吸収性コア５０と、該上層吸収性コア５０の少なくとも肌対向面（表面シート２との対向面）の全域を被覆する１枚の上層コアラップシート５１とを含んで構成されており、また、下層６は、同じく吸水性材料を主体とする下層吸収性コア６０と、該下層吸収性コア６０の少なくとも肌対向面（上層５との対向面）の全域を被覆する１枚の下層コアラップシート６１とを含んで構成されている。上層吸収性コア５０の肌対向面と上層コアラップシート５１とは接着剤によって接合されており、また、下層吸収性コア６０の肌対向面及び非肌対向面それぞれと下層コアラップシート６１とも接着剤によって接合されている。
【００１８】
上層５及び下層６がこのように構成されていることにより、上下層５，６のうちの一方の縦方向Ｘの端部から縦方向Ｘの外方に延出する、他方の吸収性コアの縦方向延出部において、その肌対向面及び非肌対向面それぞれの全域がコアラップシート５１，６１で被覆されるので、該他方の吸収性コアの縦方向延出部からの吸収性材料の移動、特に、吸水性ポリマーの表面シート２側又は裏面シート３側への移動が効果的に防止される。吸収性コア中の吸水性ポリマーが表面シート２側へ移動すると、表面シート２を構成する不織布等の繊維間空隙よりも吸水性ポリマーの粒径が小さい場合は、着用者の肌に吸水性ポリマーが付着して肌トラブルにつながるおそれがある。また、吸収性コア中の吸水性ポリマーが裏面シート３側へ移動（脱落）すると、裏面シート３の穴開きの要因となり、漏れにつながるおそれがある。また、本実施形態においては後述するように、上層５と下層６との間に中間シート１０が介在されているところ、吸収性パッド１を装着するためにその長手方向端部を持ち上げる際、特にパッド１を何度かあてがい直す時等に、この中間シート１０の縦方向Ｘの長さが短いと、該中間シート１０の縦方向端部よりも縦方向Ｘの外方に延出する、吸収性コアの縦方向延出部の形状が崩れ、縦方向中央部に寄ってしまうおそれがある。以上の不都合は、上層５及び下層６が前記のように構成されていることで効果的に防止され、結果として、吸収性パッド１の良好なフィット性が維持される。
【００１９】
上層コアラップシート５１の横方向Ｙの長さ（幅）は、上層吸収性コア５０における股下部Ｍと略同じであるかそれより広い。一方、下層コアラップシート６１の横方向Ｙの長さ（幅）は、下層吸収性コア６０において横方向Ｙの長さ（幅）が最も長い部分のその最大幅に対して、２倍以上３倍以下であり、１枚の下層コアラップシート６１によって、下層吸収性コア６０の肌対向面及びその反対側の非肌対向面それぞれの全域が被覆されている。下層６は、この１枚の下層コアラップシート６１の横方向Ｙの中央部に下層吸収性コア６０を載置し、その横方向Ｙの両側部を下層吸収性コア６０の上面側に折り返し、その両側縁部どうしをホットメルト型接着剤等の公知の接合手段により接合して下層コアラップシート６１を筒状に形成して得られる。
【００２０】
図２に示すように、上層５と下層６との間には中間シート１０が介在されており、これら両層５，６それぞれと中間シート１０とは接着剤によって接合されている。本実施形態においては、１枚の中間シート１０が、上層吸収性コア５０及び下層コアラップシート６１それぞれに接着剤によって接合されており、斯かる構成により、上層５と下層６とは中間シート１０を介して一体化されている。中間シート１０の縦方向Ｘの長さ及び横方向Ｙの長さ（幅）は、上層コアラップシート５１の縦方向Ｘの長さ及び横方向Ｙの長さ（幅）と略同じである。中間シート１０は、上層５及び下層６のうちの一方（本実施形態では下層６）の縦方向Ｘの端部（前方部Ｆ側の縦方向端部）から縦方向Ｘの外方に延出する、他方（本実施形態では上層５）の吸収性コアの縦方向延出部の一面（本実施形態では上層吸収性コア５０の非肌対向面）の全域を被覆している。中間シート１０がこのように配置されていることで、前述した吸収性材料（吸水性ポリマー）の移動に起因する不都合が効果的に防止される。
【００２１】
図１〜図３に示すように、上層５（上層吸収性コア５０）及び下層６（下層吸収性コア６０）は、それぞれ、中央吸収体７と、該中央吸収体７の両側部に設けられた一対の側部吸収体８，８とを具備し、且つ中央吸収体７と一対の側部吸収体８，８それぞれとの間に、当該層５，６を厚み方向に貫通する溝９Ａ，９Ｂを有している。溝９Ａ及び溝９Ｂは、それぞれ、図１に示す如き吸収体４の平面視において線状をなしている。
【００２２】
本実施形態においては、上層５及び下層６それぞれの中央吸収体７は、図３に示すように、前方部Ｆから股下部Ｍに亘る領域に、前方部Ｆから股下部Ｍに向かうに従って横方向Ｙの長さ（幅）が漸次減少する平面視略等脚台形状部分７０と、幅が一定の平面視帯状部分７１とを有し、等脚台形状部分７０における相対的に幅が短い部分に帯状部分７１が連接されて両部分７０，７１が一体的に形成されている。また、上層５及び下層６それぞれの一対の側部吸収体８，８は、中央吸収体７の両部分７０，７１の縦方向Ｘに沿う側縁に沿うように、該中央吸収体７を挟んで対称的に設けられており、股下部Ｍにて中央吸収体７に連接されて両吸収体７，８が一体的に形成されている。
【００２３】
上層５及び下層６それぞれにおける中央吸収体７及び側部吸収体８の平面視形状がこのような特定形状であることにより、吸収性パッド１の着用時において、着用者の股下部から前側そけい部に沿うように吸収体４が屈曲し易くなり、吸収体４がより着用者の身体に沿ってあたるようになる。その結果、着用者の排尿部に常に吸収体４がシワやヨレがなくあたるようになって吸収体４が吸収性能を安定して発揮することが可能となり、また、身体に沿って吸収体４が変形するので、例えば、吸収体に凹凸（山及び谷）を意図的に形成した場合に着用者に与えるおそれがある違和感が無くなり、吸収性パッド１の装着性能が向上する。
【００２４】
吸収体４の前方部Ｆ及び中央吸収体７を着用者の身体に沿って変形し易くし、着用感及び漏れ防止性の向上を図る観点から、上層５（上層吸収性コア５０）及び下層６（下層吸収性コア６０）のうちの一方は、他方における前方部Ｆ側の縦方向端から縦方向Ｘの外方に延出していることが好ましい。本実施形態においては、図１及び図３に示すように、上層５（上層吸収性コア５０）が、下層６（下層吸収性コア６０）における前方部Ｆ側の縦方向端６ｆから縦方向Ｘの外方に延出している。上層５の下層６の縦方向端６ｆからの延出長さ５ＬＥ（図１参照）は、好ましくは２０ｍｍ以上、更に好ましくは４０ｍｍ以上、そして、好ましくは１２０ｍｍ以下、更に好ましくは１００ｍｍ以下、より具体的には、好ましくは２０ｍｍ以上１２０ｍｍ以下、更に好ましくは４０ｍｍ以上１００ｍｍ以下である。
【００２５】
また、本実施形態においては、図１及び図３に示すように、下層６（下層吸収性コア６０）の平面視における寸法は、上層５（上層吸収性コア５０）の該寸法よりも小さくなされており、より具体的には、少なくとも縦方向Ｘの長さについては、下層６が上層５よりも短くなされている。下層６の主たる役割の１つは、着用者の排泄部から排泄された尿等の体液を、吸収性パッド１における該排泄部に対向する排泄部対向部及びその周辺部にて吸収保持することであり、下層６の斯かる役割を考慮すると、上層５と下層６とは必ずしも同形状・同寸法である必要は無く、本実施形態のように、下層６が上層５よりも小さい形態で十分である。その場合、上層５よりも平面視における寸法が小さい下層６は、少なくとも前記排泄部対向部及びその周辺部に配されることが好ましい。「前記排泄部対向部の周辺部」は、好ましくは、前記排泄部対向部よりも後方部Ｒ寄りの部位であり、更に好ましくは、前記排泄部対向部から後方側に５０ｍｍ以内の部位である。前記排泄部対向部は、通常、吸収性パッド１の横方向Ｙの中央部で且つ縦方向Ｘの中央部よりやや後方部Ｒ側に偏倚した部位に存する。
【００２６】
上層５の溝９Ａは、図３（ａ）に示す如き平面視において股下部Ｍに縦方向Ｘに延びる直線状部９２Ａを有し、且つ直線状部９２Ａの縦方向前端９２Ａａから縦方向Ｘの前方且つ横方向Ｙの外方に向かって延びる屈曲部９４Ａを有する。また、下層６の溝９Ｂは、図３（ｂ）に示す如き平面視において股下部Ｍに縦方向Ｘに延びる直線状部９２Ｂを有し、且つ直線状部９２Ｂの縦方向前端９２Ｂａから縦方向Ｘの前方且つ横方向Ｙの外方に向かって延びる屈曲部９４Ｂを有する。
【００２７】
上層５の溝９Ａ及び下層６の溝９Ｂの少なくとも一方は、吸収体４の周縁部〔その一方の溝（９Ａ又は９Ｂ）を有する層（上層５又は下層６）〕に開放されておらずに閉鎖端部を有している。本実施形態においては、上層５の溝９Ａは、図３（ａ）に示すように、上層５の周縁部に開放されておらずに、その長さ方向の前後端それぞれに閉鎖端部９３Ａを有し、また、下層６の溝９Ｂも、図３（ｂ）に示すように、下層６の周縁部に開放されておらずに、その長さ方向の前後端それぞれに閉鎖端部９３Ｂを有している。
【００２８】
図１及び図２に示すように、上層５の溝９Ａは、下層６の中央吸収体７及び側部吸収体８とは重ならずに、下層６の溝９Ｂと重なっており、これにより吸収体４には、両溝９Ａ，９Ｂの重なり部分９０が形成されている。このように、上層５の溝９Ａは、下層６の吸収体７，８と重ならずに、下層６の溝９Ｂと重なっているので、両溝９Ａ，９Ｂの重なり部分９０の平面視形状は、溝９Ａの平面視形状と同じである。下層６における上層５の溝９Ａに対応する部分（図１に示す如き吸収体４の平面視において溝９Ａと重なる部分）には、下層６の溝９Ｂ（空間部）が存していて、下層６の形成材料（繊維材料、吸水性ポリマー等）は存していない。
【００２９】
本実施形態においては、上層５の溝９Ａと下層６の溝９Ｂとは平面視形状が互いに相似の関係にあり、且つ下層６の溝９Ｂの方が上層５の溝９Ａに比して長さ及び幅が大きい。即ち、両溝９Ａ，９Ｂの長さの大小関係に関し、図１に示すように、溝９Ｂの屈曲部９４Ｂ側の閉鎖端部９３Ｂの方が、溝９Ａの屈曲部９４Ａ側の閉鎖端部９３Ａより、これら屈曲部９４Ａ，９４Ｂの長さ方向の外方に位置し、また、溝９Ｂの直線状部９２Ｂ側の閉鎖端部９３Ｂの方が、溝９Ａの直線状部９２Ａ側の閉鎖端部９３Ａより、これら直線状部９２Ａ，９２Ｂの長さ方向の外方に位置しており、（上層５の溝９Ａの長さ）＜（下層６の溝９Ｂの長さ）となっている。また、両溝９Ａ，９Ｂの幅９ＷＡ，９ＷＢ（図３参照）の大小関係に関し、図２に示すように、下層６の溝９Ｂを画成する相対向する側壁９６，９６（下層６における中央吸収体７の縦方向Ｘに沿う側部及び該側部と対向する側部吸収体８の縦方向に沿う内側部）は、該溝９Ｂに対応する（該溝９Ｂと重なる）、上層５の溝９Ａを画成する相対向する側壁９５，９５（上層５における中央吸収体７の縦方向Ｘに沿う側部及び該側部と対向する側部吸収体８の縦方向に沿う内側部）よりも横方向Ｙの外方に位置しており、（上層５の溝９Ａの幅９ＷＡ）＜（下層６の溝９Ｂの幅９ＷＢ）となっている。
【００３０】
このように、本実施形態においては、上層５の溝９Ａと下層６の溝９Ｂとは平面視形状が互いに相似の関係にあり、且つ下層６の溝９Ｂの方が上層５の溝９Ａに比して長さ及び幅が大きいことから、図１に示す如き吸収性パッド１の肌対向面側（表面シート２側）の平面視における、両溝９Ａ，９Ｂの重なり部分９０の平面視形状は、相対的に長さ及び幅が小さい溝９Ａのそれと同一であり、該重なり部分９０の長さ方向の前後それぞれの閉鎖端部９３は、溝９Ａの閉鎖端部９３Ａである。
【００３１】
このように上層５の溝９Ａと下層６の溝９Ｂとが互いに相似の関係にあると、吸収性パッド１が溝９Ａ，９Ｂ（重なり部分９０）で屈曲して３次元的に変形したときに、上層５の溝９Ａと下層６の溝９Ｂとが重なってできる低剛性部の周囲に、該低剛性部に比して高剛性で且つ上下層５，６の溝９Ａ，９Ｂが形成されていない部分どうしの重なり部（高剛性部）に比して低剛性である、緩衝部が形成されるようになるため、パッド１の変形時に溝９Ａ，９Ｂが潰れたり重なったりしてできる屈曲部の曲率が滑らかになり、パッド１が着用者の身体により沿い易くなり、違和感が少なくなる。
【００３２】
上層の溝９Ａ、即ち、上層５の溝９Ａと下層６の溝９Ｂとの重なり部分９０は、図１に示す如き吸収体４の平面視において股下部Ｍに縦方向Ｘに延びる直線状部９２を有し、且つ直線状部９２の縦方向前端９２ａから縦方向Ｘの前方且つ横方向Ｙの外方に向かって延びる屈曲部９４を有する。屈曲部９４は、縦方向Ｘ及び横方向Ｙの両方向に交差する方向に延びている。屈曲部９４の方が直線状部９２よりも長さ（線状の溝の長さ方向の長さ）が短い。重なり部分９０の直線状部９２は、溝９Ａの直線状部９２Ａと溝９Ｂの直線状部９２Ｂとの重なり部分からなり、また、重なり部分９０の屈曲部９４は、溝９Ａの屈曲部９４Ａと溝９Ｂの屈曲部９４Ｂとの重なり部分からなる。
【００３３】
また、本実施形態においては、吸収体４（上層５）は、図１及び図３（ａ）に示すように、後方部Ｒより縦方向Ｘの前方側、より具体的には前方部Ｆ及び股下部Ｍに亘って、縦方向Ｘの前後に比して横方向Ｙの長さが短い括れ部４０を有している。括れ部４０の縦方向Ｘに沿う側縁には、縦方向Ｘに沿って延びる直線状側縁４Ｓ１と該直線状側縁４Ｓ１の縦方向Ｘの前端から縦方向Ｘの前方且つ横方向Ｙの外方に向かって延びる屈曲側縁４Ｓ２とが形成されており、屈曲側縁４Ｓ２の延長線上又はその近傍（該延長線から８０ｍｍ以内）に、溝９Ａと溝９Ｂとの重なり部分９０の屈曲部９４（溝９Ａの屈曲部９４Ａ及び溝９Ｂの屈曲部９４Ｂ）が存している。つまり、吸収体４（上層５）の括れ部４０の屈曲側縁４Ｓ２は、屈曲部９４と同方向（縦方向Ｘ及び横方向Ｙの両方向に交差する方向）に延びている。一方、下層６は、図１及び図３（ｂ）に示すように、平面視矩形形状をなしていて括れ部は有しておらず、下層６の両側縁は、その全長に亘って縦方向Ｘと平行である。
【００３４】
本実施形態の吸収性パッド１は、図４に示すように、別体の吸収性物品としての使い捨ておむつ１００の肌対向面側に配置して使用することができる。吸収性パッド１と併用される使い捨ておむつ１００は、肌対向面を形成する液透過性の表面シート１０１、非肌対向面を形成する液不透過性の裏面シート１０２、及び両シート１０１，１０２間に介在された吸収体１０３を具備しており、吸収性パッド１と同様に一方向に長い縦長である。使い捨ておむつ１００の肌対向面側の縦方向Ｘに沿う両側には、弾性部材を有する一対の立体ギャザー１０４，１０４が設けられており、また、吸収体１０３の横方向Ｙの外方には、弾性部材を有する一対のレッグフラップ部１０５，１０５が設けられている。
【００３５】
本実施形態の吸収性パッド１は、前述の如き特徴的な構成の吸収体４を具備していることにより、以下に説明するように、着用時に吸収体４が図５に示す如く変形し、それによって、着用者の股下部へのあて易さと良好な着用感及び安定した吸収性能との両立を実現している。尚、図５中の符号２００は、吸収性パッドの着用者の股下（股間部）である。また、説明容易の観点から、図５では、吸収性パッド１の構成部材の一部（コアラップシート５１，６１、中間シート１０等）の図示を省略している。
【００３６】
一般に、着用方法が適切でない等の理由により、着用者の排泄部と吸収性パッド（吸収性パッドにおける吸収体の配置部位）との間に隙間が発生し、あるいは排泄部周辺の吸収体に皴が発生していると、尿等の排泄液は、それらの発生部分では吸収体に吸収されずに、着用者の肌を伝って吸収体の他の部分に移行し、該他の部分にて局所的に集中的に吸収されるところ、そのような排泄液の集中部分の液吸収保持能はすぐに飽和状態となるため、液漏れが発生し易くなる。斯かる不都合を回避する手段として、図６（ｂ）及び図６（ｃ）に示すように、吸収体４’に、該吸収体４’を厚み方向に貫通する溝９’を、着用者の股下部から前側そけい部に沿うように、縦方向Ｘに沿って２本設けることが考えられる。図６（ｂ）及び図６（ｃ）に示す吸収体４’は、中央吸収体７と、該中央吸収体７の両側部に設けられた一対の側部吸収体８，８とを具備し、且つ中央吸収体７と一対の側部吸収体８，８それぞれとの間に、縦方向Ｘに延び且つ該吸収体４’を厚み方向に貫通する溝９’を有している。尚、図６（ｃ）に示す形態は、縦方向Ｘに延びる２本の溝９’，９’が、吸収体４’の横方向Ｙに沿う縦方向両端部に開放されていて該縦方向両端部に開放端部を有している点でのみ、そのような開放端部を有していない図６（ｂ）に示す形態と異なる。
【００３７】
しかしながら、図６（ｂ）又は図６（ｃ）に示す吸収体４’を具備する吸収性パッド（図示せず）には、着用時において次のような問題がある。即ち、吸収体４’を具備する吸収性パッドを着用すべく常法通り、仰臥位の着用者の臀部下に該吸収性パッドが差し込まれた状態で、該吸収性パッドの前方部を手で把持してこれを着用者の股下から腹側へ引き上げると、図６（ｂ）及び図６（ｃ）に示すように、吸収体４’の中央吸収体７の前方部側（図６の上側）に該部分を股下から腹側へ引き上げる引き上げ力Ｕが作用したときに、その引き上げ力Ｕによって、中央吸収体７の前方部側のみならず、その両側に位置する一対の側部吸収体８，８それぞれの前方部側も中央吸収体７の前方部側と略同時に着用者の股下から腹側へ引き上げられる。また、一対の側部吸収体８，８は、股下部（吸収体４’の縦方向Ｘの中央部）にて常時、着用者の大腿部による内向きの押圧力Ｐを受けており、中央吸収体７側に押されている。従って、吸収性パッドの股下から腹側への引き上げ中に、中央吸収体７と略同時に引き上げられている側部吸収体８が、押圧力Ｐによって横方向Ｙの内方に押されて中央吸収体７の側面（溝９を画成している壁面）と接触し、それによって中央吸収体７に皴が発生し、あるいは側部吸収体８が中央吸収体７の肌対向面側に移動してこれと重なり、吸収体４’が着用者のそけい部に沿うようには屈曲しないおそれがある。中央吸収体７に皴が発生したり、側部吸収体８が中央吸収体７の肌対向面上に重なったりすると、着用者の排泄部と吸収性パッドとの密着性が確保できず、吸収性能が低下するおそれがある。
【００３８】
これに対し、本実施形態の吸収性パッド１においては、吸収体４を構成する上層５の溝９Ａと下層６の溝９Ｂとの重なり部分９０が、前述したように、縦方向Ｘ及び横方向Ｙの両方向に交差する方向に曲がった屈曲部９４を有する特定形状をなしているため、吸収体４を着用者のそけい部に沿うように容易に屈曲させることができ、図６（ｂ）及び図６（ｃ）に示す吸収体４’で懸念される不都合が生じ難い。即ち、吸収体４（上層５及び下層６）を具備する本実施形態の吸収性パッド１を着用すべく常法通り、該吸収性パッド１の前方部Ｆを手で把持してこれを着用者の股下から腹側へ引き上げると、図６（ａ）に示すように、吸収体４の中央吸収体７の前方部Ｆ側（図６の上側）に該部分を股下から腹側へ引き上げる引き上げ力Ｕが作用したときに、その引き上げ力Ｕによって、先ず、中央吸収体７の前方部Ｆ側が股下から腹側へ引き上げられ、次いで、中央吸収体７の前方部Ｆ側よりも若干遅れて、その両側に位置する一対の側部吸収体８，８それぞれの前方部Ｆ側（上層５及び下層６それぞれの側部吸収体８における縦方向Ｘの前方側の閉鎖端部９３寄りの部分）及びそれに連なる股下部Ｍ側が、順次股下から腹側へ引き上げられる。そして、一対の側部吸収体８，８は、それぞれ前述したように、常時股下部Ｍ（図１参照）にて着用者の大腿部による内向きの押圧力Ｐを受けていて、股下から腹側への引き上げ中に中央吸収体７側に押されるところ、中央吸収体７の前方部Ｆ側は、側部吸収体８の前方部Ｆ側に先んじて引き上げられていることにより、側部吸収体８の前方部Ｆ側よりも上方に位置していて側部吸収体８の前方部Ｆ側の側方には位置していないため、引き上げ中に中央吸収体７側に押された側部吸収体８の前方部Ｆ側及び股下部Ｍ側は、図５に示すように、中央吸収体７の非肌対向面側に移動してこれと重なる。尚、図６（ａ）では、説明容易の観点から、吸収体４の一部（上層５と下層６との重なり部分９０）のみを模式的に記載している。
【００３９】
特に本実施形態においては、上層５の溝９Ａ及び下層６の溝９Ｂの両方（両溝９Ａ，９Ｂの重なり部分９０）が吸収体４（上層５，下層６）の周縁部（吸収体４の縦方向Ｘに沿う側縁部）に開放されていないため、一対の側部吸収体８，８は、それぞれ、股下部Ｍにて着用者の大腿部による内向き（横方向Ｙと平行な方向）の押圧力Ｐ（図６（ａ）参照）を受けたときに、その押圧力Ｐを受けた部分〔側部吸収体８の股下部Ｍ側（股下部Ｍに位置する部分）〕が、そのまま押圧力Ｐの作用方向と同方向に中央吸収体７側に押される。つまり、本実施形態においては、前方部Ｆ側と後方部Ｒ側とにある閉鎖端部９３の近傍において吸収体４の剛性により押圧力Ｐが抑制されるので、側部吸収体８が横方向Ｙの内方に入り込みにくくなる。従って、本実施形態の吸収性パッド１によれば、股下部Ｍのみ、即ち、着用者の排尿部及びその近傍に対向配置される部分のみにおいて、大腿部による内向きの押圧力Ｐを効率良く吸収体４の変形に利用することが可能であり、そのため、着用感の一層の向上を図ることが可能である。
【００４０】
これに対し、例えば、上層５の溝９Ａ及び下層６の溝９Ｂの両方（両溝９Ａ，９Ｂの重なり部分９０）が、前方部Ｆにおいて吸収体４（上層５，下層６）の縦方向Ｘに沿う側縁部に開放されていて、前方部Ｆの該側縁部に開放端部（図示せず）を有している場合、一対の側部吸収体８，８は、それぞれ、股下部Ｍにて着用者の大腿部による横方向Ｙと平行な方向の押圧力Ｐを受けたときに、押圧力Ｐを受けた部分〔側部吸収体８の股下部Ｍ側（股下部Ｍに位置する部分）〕よりもむしろ、該部分より縦方向Ｘの前方側に位置する、該開放端部近傍の方が中央吸収体７側に押されやすい。つまり、溝９Ａ，９Ｂ（両溝９Ａ，９Ｂの重なり部分９０）が吸収体４の側縁部に開放されている場合（溝９Ａ，９Ｂが吸収体４の側縁部に開放端部を有している場合）には、側部吸収体８の、中央吸収体７の非肌対向面への重なり程度は、股下部Ｍよりも前方部Ｆの方が多く、股下部Ｍでは斯かる重なりが十分には確保できないため、股下部Ｍ、即ち、着用者の排尿部及びその近傍に対向配置される部分での、該排尿部と中央吸収体７との密着性が十分には得られないおそれがある。但し、溝９Ａ，９Ｂ（両溝９Ａ，９Ｂの重なり部分９０）が吸収体４の側縁部に開放されている場合は、着用者の大腿部が動きやすく、締め付け等の不都合が生じ難いという特有のメリットがある。
【００４１】
また特に本実施形態においては、前述したように、吸収体４が後方部Ｒより縦方向Ｘの前方側に有する、屈曲側縁４Ｓ２の延長線上又はその近傍に、溝９Ａと溝９Ｂとの重なり部分９０の屈曲部９４が存しているため、吸収体４が着用者のそけい部に沿うように変形しやすく、良好な着用感及び安定した吸収性能がより一層得られやすい。図７（ａ）には、重なり部分９０と着用者のそけい部との関係が模式的に示されている。吸収性パッド１は、着用時に着用者のそけい部に沿った屈曲線（図７（ａ）中、点線で示した部分）で折れ曲がるのが、良好な着用感及び吸収性能を得る上で理想的であり、該屈曲線は、吸収体４の屈曲側縁４Ｓ２及びその延長線並びに縦方向に延びる直線を含んで構成されるところ、本実施形態においては、比較的剛性が低くて折り曲げやすい部位である重なり部分９０が、吸収性パット１の着用時に該屈曲線（そけい部）と略一致するため、吸収性パッド１は重なり部分９０で容易に折れ曲がり、重なり部分９０より横方向Ｙの外方に位置する部分の全域（図７（ａ）中、斜線を付した部分）が、着用者の身体に追従して変形し、結果として、良好な着用感及び吸収性能がより一層確実に得られる。
【００４２】
これに対し、図７（ｂ）に示す重なり部分９０Ａは、縦方向Ｘに延びる直線状部９２’のみで構成されていて、縦方向Ｘ及び横方向Ｙの両方向に交差する方向に延びる屈曲部を有していないため、重なり部分９０Ａを有する吸収性パッドの着用時には前記屈曲線（そけい部）と一致しない。また、図７（ｃ）に示す重なり部分９０Ｂは、縦方向Ｘに延びる直線状部９２’とこれと交差する方向に延びる屈曲部９４’とを有しているものの、屈曲部９４’は横方向Ｙと平行に延びているため、重なり部分９０Ｂを有する吸収性パッドの着用時には前記屈曲線（そけい部）と一致しない。そのため、これらの吸収性パッドは、重なり部分９０Ａ，９０Ｂが存在しない部分で折れ曲がり、結果として、該吸収性パッドにおける、該屈曲線（図７（ｂ）及び図７（ｃ）中、点線で示した部分）より横方向Ｙの外方に位置する部分のうちの一部のみ（図７（ｂ）及び図７（ｃ）中、斜線を付した部分）が着用者の身体に追従し、他の部分は追従し難く、着用感及び吸収性能の点で改良の余地がある。
【００４３】
また、吸収体４（上層５及び下層６）の前方部Ｆ側が着用者の股下から腹側へ引き上げられると、上層５における一対の側部吸収体８，８それぞれの肌対向面側に、着用者の内股との摩擦に起因して引き上げに対する抵抗力が作用し、それによって、上層５と下層６との間でせん断力が作用して両層５，６が上下方向に分離して溝９Ａ，９Ｂのズレが発生することが懸念される。しかしながら、本実施形態の吸収性パッド１においては、前述したように、上層５と下層６との間に中間シート１０が介在され、これら両層５，６それぞれと中間シート１０とが接合されているため、該吸収性パッド１の肌側への引き上げ動作によって両層５，６が上下方向に分離し難く、溝９Ａ，９Ｂのズレが発生し難い。
【００４４】
要するに、本実施形態の吸収性パッド１は、図４に示すように使い捨ておむつ１００の肌対向面側に配置した状態で、先ず、吸収性パッド１を着用者の股下から腹側へ引き上げて装着した後、おむつ１００を引き上げることにより、吸収体４を構成する上層５及び下層６それぞれの側部吸収体８における縦方向Ｘの前方側の閉鎖端部９３寄りの部分が、下層６の中央吸収体７の非肌対向面側に一体的に移動してこれと重なるようになされており、斯かる吸収体４の変形によって着用者のそけい部に沿うようにフィットし、着用者の排泄部に対して隙間や皴無く密着できるので、着用者の股下部へのあて易さと、良好な着用感及び安定した吸収性能との両立が可能である。
【００４５】
特に、本実施形態においては、溝９Ａ，９Ｂは、図１及び図３に示すように、股下部Ｍの少なくとも後方部分（股下部Ｍの後方部Ｒ寄りの部分）に、縦方向Ｘに延びる直線状部９２Ａ，９２Ｂを有しており、股下部Ｍの後方部分の溝９Ａ，９Ｂ（重なり部分９０）は、平面視において縦方向Ｘに延びる直線形状である。これに対し、仮に、股下部Ｍの後方部分の溝が、平面視において縦方向Ｘに延びる直線形状ではなく、屈曲部を有し且つ吸収体４の縦方向Ｘに沿う側縁に向かうように形成されていると、吸収性パッドの着用時においては股下部Ｍでも後方に位置するほど内股部からの力が少なくなるので、該溝における股下部Ｍの後方部分に位置する部分は、ある程度の幅を持った液拡散誘導路となり、液を吸収体の側縁あるいはその近傍まで誘導し易くなる。そして、吸収体の側縁近傍に液が集中すると、吸収体（吸収性コア）を構成する吸収性材料が飽和に達しやすくなるため、液が吸収体からあふれて漏れにつながり易い。本実施形態のように、股下部Ｍの後方部分の溝９Ａ，９Ｂ（重なり部分９０）が平面視において縦方向Ｘに延びる直線形状であることにより、斯かる不都合が効果的に防止される。
【００４６】
また、股下部Ｍにおいて、下層６（下層吸収性コア６０）の横方向Ｙの長さ（幅）が、上層５（上層吸収性コア５０）のそれと等しいか、又はそれよりも小さいと、吸収性パッド１の着用時において、吸収体等の比較的剛性の高い部材が、平滑な面で着用者の肌に接触するようになり、それによって圧力の集中が効果的に防止される。仮に、これとは逆に、上層５の幅が下層６の幅より小さいと、両層５，６の幅の大小に起因する段差が存在する面が着用者の肌に接触することになるため好ましくない。従って、下層６の幅は上層５の幅と等しいか、又はそれよりも小さいことが好ましい。特に、下層６の幅が上層５の幅よりも小さいと、上層５の縦方向Ｘに沿う側部が、下層６の縦方向Ｘに沿う側部断面を覆うようになるので、吸収体４の縦方向Ｘに沿う側部端面が滑らかな曲面となり、これにより、着用者の内股部にかかる吸収体端面の力が小さくなり、肌に負担をかけ難くなる。
【００４７】
また、本実施形態においては、溝９Ａ，９Ｂ（重なり部分９０）は、吸収体４において、前方部Ｆ及び股下部Ｍにのみ形成されており、後方部Ｒには形成されていない。その理由は、後方部Ｒ、特に着用時に着用者の臀部の下方に位置する部分に、前述した上層５と下層６との重なりや皴が発生すると、着用者の肌に局所的に圧力が加わって肌トラブルの原因になり易いためである。後方部Ｒ（着用時に臀部の荷重が加わる部分）に溝が形成されていると、該溝にはその幅（該溝の長さ方向と直交する方向の長さ）を狭くする方向の力が殆ど加わらないため、吸収性パッドの着用時において該溝が段差としての形状を保持し、また、着用時や体位交換時に加わる力により該溝が重なり易くなり、その結果、該溝に体圧が集中して肌トラブルの原因になり易い。従って、このような不都合を避け、前述した作用効果をより確実に奏させるようにするためには、本実施形態のように、後方部Ｒ（着用時に臀部の荷重が加わる部分）には、吸収体４（上層５、下層６）を厚み方向に貫通する溝は設けないことが好ましい。
【００４８】
図５に示す如き吸収体４の変形、即ち、「上層５の溝９Ａと下層６の溝９Ｂとの重なり部分９０で側部吸収体８が屈曲し、上層５及び下層６それぞれの側部吸収体８における前方部Ｆ側及び股下部Ｍ側が、該下層６の中央吸収体７の非肌対向面側に移動してこれと重なるようにする」をより確実なものとする観点から、重なり部分９０の幅は、吸収体４の無加圧下の厚みよりも大きいことが好ましい。ここで、「重なり部分の幅」は、重なり部分（溝）の長さ方向と直交する方向の長さであり、本実施形態のように上層の溝と下層の溝とで幅が異なる場合は、相対的に小さい方の幅（本実施形態では上層５の溝９Ａの幅９ＷＡ）を意味する。
【００４９】
無加圧下の吸収体４において、重なり部分９０の幅（本実施形態では幅９ＷＡと同じ）と吸収体４の厚みとの比（重なり部分９０の幅／吸収体４の厚み）は、好ましくは２．０以上、更に好ましくは４．０以上、そして、好ましくは１０．０以下、更に好ましくは７．０以下、より具体的には、好ましくは２．０以上１０．０以下、更に好ましくは４．０以上７．０以下である。ここで無加圧下の厚みとは、下記の測定法により得られる、０．５ｃＮ／ｃｍ3圧力下での厚みを意味する。
【００５０】
＜吸収体の厚みの測定法＞
吸収性パッドの表面シート側から、コールドスプレー（ニチバン株式会社製、商品名）を吹きかける。その後、吸収性パッドから、吸収体以外の構成材料を丁寧に剥がす。測定台に重さ２．５ｇ、半径１２．５ｍｍの円形プレートを載置し、その状態での円形プレートの上面の位置を測定の基準点Ａとする。次に円形プレートを取り除き、測定台に測定対象となる吸収体を置き、その上に円形プレートを再び載置し、その状態での円形プレートの上面の位置を位置Ｂとする。測定機器にはレーザ変位計（（株）キーエンス製、ＣＣＤレーザ変位センサーＬＫ−０８０）を用いる。前記基準点Ａと前記位置Ｂとの差を、吸収体の無加圧下の厚み、即ち、吸収体の０．５ｃＮ／ｃｍ3圧力下での厚みとする。
【００５１】
上層５の溝９Ａの幅９ＷＡ及び下層６の溝９Ｂの幅９ＷＢは、それぞれ、好ましくは５ｍｍ以上、更に好ましくは１０ｍｍ以上、そして、好ましくは４０ｍｍ以下、更に好ましくは３０ｍｍ以下、より具体的には、好ましくは５ｍｍ以上４０ｍｍ以下、更に好ましくは１０ｍｍ以上３０ｍｍ以下である。
また、無加圧下の吸収体４の厚み（無加圧下の上層５と下層６との厚みの合計）は、好ましくは１．０ｍｍ以上、更に好ましくは２．０ｍｍ以上、そして、好ましくは１０．０ｍｍ以下、更に好ましくは７．０ｍｍ以下、より具体的には、好ましくは１．０ｍｍ以上１０．０ｍｍ以下、更に好ましくは２．０ｍｍ以上７．０ｍｍ以下である。
【００５２】
また、前述したように、下層６の溝９Ｂの幅９ＷＢは、上層５の溝９Ａの幅９ＷＡに比して大きいところ、両者の比（幅９ＷＡ／幅９ＷＢ）は、好ましくは１．１以上、更に好ましくは１．３以上、そして、好ましくは２．０以下、更に好ましくは１．８以下、より具体的には、好ましくは１．１以上２．０以下、更に好ましくは１．３以上１．８以下である。
【００５３】
また、着用時に吸収体４に皴が発生することを抑制し、着用時の違和感を低減させる観点から、上層５及び下層６それぞれの中央吸収体７における、一対の側部吸収体８，８に挟まれた部分（帯状部分７１）の横方向Ｙの長さ（幅）７１Ｗ（図３参照）は、着用者の股間幅以下に設定することが好ましく、より具体的には７０ｍｍ以下、特に５０ｍｍ以下に設定することが好ましい。一方、着用者の排泄部と吸収性パッド１とを安定的に密着させる観点からは、帯状部分７１の長さ７１Ｗは、２０ｍｍ以上、特に３０ｍｍ以上に設定することが好ましい。従って、中央吸収体７の帯状部分７１の横方向Ｙの長さ７１Ｗは、好ましくは２０ｍｍ以上７０ｍｍ以下、更に好ましくは３０ｍｍ以上５０ｍｍ以下である。尚、本実施形態においては、上層５と下層６とで帯状部分７１の長さ７１Ｗは同じである。
【００５４】
本実施形態の吸収性パッド１について更に説明すると、図１及び図２に示すように、本体１５の縦方向Ｘに沿う左右両側部には、少なくとも排泄部対向部Ｂにおいて着用時に着用者の肌側に向かって起立する一対の立体ギャザー２０，２０が設けられている。立体ギャザー２０は、本体１５側を基端とし着用者の肌側に自由端をなすように起立するものであり、基壁部２１と、該基壁部２１の上端部に連接され、縦方向Ｘに沿って弾性部材２５が伸長状態で配されている弾性伸縮部２２とを含んで構成されている。
【００５５】
立体ギャザー２０は、弾性部材２５に加えて更に、縦方向Ｘに一定の幅を有する１枚のサイドシート２６を含んで構成されており、サイドシート２６は、図２に示すように、基壁部２１及びその上端部に弾性伸縮部２２が連設された形状を有するように折り返されている。従って、サイドシート２６を折り返して形成された立体ギャザー２０は、図２に示すように、基壁部２１及び弾性伸縮部２２において２層構造となっている。この２層構造を構成するサイドシート２６，２６間は、図示しない接着剤によって接合されている。
【００５６】
基壁部２１は、図２に示すように、吸収体４の上方にて本体１５の肌対向面（表面シート２の肌対向面）に接合されており、その接合部２３を前記基端とし且つ弾性伸縮部２２（弾性伸縮部２２の先端部）を前記自由端として着用時に着用者の肌側に向かって起立する、起立部２４を有している。基壁部２１における起立部２４以外の部分は、吸収体４の縦方向Ｘに沿う側縁に沿って巻き下げられ、更に吸収体４の該側縁から横方向Ｙの外方に延出し、その延出部が、接着剤やヒートシール等の公知の接合手段によって、裏面シート３における、吸収体４の該側縁からの延出部に接合されている。基壁部２１（起立部２４）と表面シート２（本体１５）との接合部２３（前記基端）は、平面視において線状であり、縦方向Ｘに沿って立体ギャザー２０の略全長に亘って延びている。接合部２３は、ホットメルト接着剤等の接着剤が塗布されて形成されている。線状の接合部２３は、縦方向Ｘに沿って接着剤が連続的に塗布された連続線であっても良く、あるいは接着剤が不連続に塗布された破線であっても良く、また、直線でも曲線でも良い。本実施形態における線状の接合部２３は、直線且つ連続線である。
【００５７】
弾性伸縮部２２には、縦方向Ｘに延びる１本以上（本実施形態では２本）の弾性部材２５が伸長状態でサイドシート２６に接合固定されていることによって伸縮性が付与されており、その伸縮方向は縦方向Ｘに一致している。弾性伸縮部２２は、少なくとも股下部Ｍの縦方向Ｘの全長に亘り、本実施形態では更に、前方部Ｆ及び後方部Ｒそれぞれの股下部Ｍ寄りの部分にも亘っている。弾性部材２５は、弾性伸縮部２２を構成する２枚のサイドシート２６，２６の間に伸長状態で配置されており、図示しない接着剤によって両サイドシート２６，２６に接合されている。
【００５８】
図１に示すように、前方部Ｆ及び後方部Ｒには、それぞれ、立体ギャザー２０の縦方向Ｘの端部における弾性伸縮部２２が本体１５（表面シート２）に接合されその伸縮性が阻害された、立体ギャザー非伸縮部２７が形成されている。吸収性パッド１は、本体１５の縦方向Ｘに沿って延びる左右一対の立体ギャザー２０の弾性伸縮部２２，２２が、それぞれ、縦方向Ｘの前後端部で本体１５に接合されて非伸縮部２７を形成していることにより、自然状態において両非伸縮部２７，２７間で湾曲する。吸収性パッド１は、弾性伸縮部２２の収縮によって、縦方向Ｘの全体形状が、自然状態において肌対向面側（表面シート２側）に凹状に湾曲する。
【００５９】
本実施形態においては、吸収性パッド１の各部を伸長させて該吸収性パッドを図１に示す如く平面状に拡げた展開状態とした場合に、立体ギャザー２０の前記自由端である弾性伸縮部２２（弾性伸縮部２２の先端部）が、重なり部分９０の直線状部９２（上下に重なる溝９Ａ，９Ｂのうち、相対的に小さい方の溝９Ａの直線状部９２Ａ）よりも横方向Ｙの外方に位置している。斯かる構成により、前述したように、吸収性パッド１を着用する際の該吸収性パッド１の引き上げ動作により吸収体４が変形し、図５に示す如く、側部吸収体８の一部が中央吸収体７の非肌対向面側に移動してこれと重なったときに、仮に、着用者の排泄部と吸収性パッド１における中央吸収体７の配置領域との密着位置が横方向Ｙに多少ずれたとしても、立体ギャザー２０が中央吸収体７の上方を覆うことがなく、従って、中央吸収体７による液の吸収保持が立体ギャザー２０によって阻害される不都合が効果的に防止される。
【００６０】
また、本実施形態においては、立体ギャザー２０の前記基端である接合部２３は、図１に示す如き吸収性パッド１の平面視において、上層５の側部吸収体８の縦方向Ｘに沿う側縁８ｓ又はその近傍と重なっている。また、接合部２３は、重なり部分９０の直線状部９２（上下に重なる溝９Ａ，９Ｂのうち、相対的に小さい方の溝９Ａの直線状部９２Ａ）に対して平行に延在している。ここで、「上層５の側部吸収体８の側縁８ｓの近傍」は、上層５の側部吸収体８の側縁８ｓから横方向Ｙの内方に８ｍｍ以内の領域であり、上層５の一部である。斯かる構成により、吸収性パッド１の着用時の引き上げ動作による、前述した側部吸収体８の中央吸収体７側への移動に、立体ギャザー２０の前記基部である接合部２３が追随できるようになると共に、立体ギャザー２０の前記自由端である弾性伸縮部２２（弾性伸縮部２２の先端部）が、着用者のそけい部に確実に近づくことが可能となり、それによって弾性伸縮部２２の該そけい部に対する密着性が高まる。また、立体ギャザー２０の接合部２３が、上層５の側部吸収体８の側縁８ｓ又はその近傍と重なっていることにより、吸収性パッド１の肌対向面に、尿等の排泄液を吸収可能な広い吸収面を確保できるため、吸収性能の一層の向上が図られる。尚、前述した吸収体４の直線状側縁４Ｓ１は、上層５の側部吸収体８の側縁８ｓの一部と一致する。
【００６１】
吸収性パッド１における各部の形成材料について説明すると、表面シート２及び裏面シート３としては、当該技術分野において従来用いられている各種のものを特に制限なく用いることができる。表面シート２としては、例えば、親水化処理が施された各種不織布や開孔フィルム等の液透過性のシートを用いることができる。また、裏面シート３としては、液不透過性でも液透過性でも良く、例えば透湿性を有しない樹脂フィルムや、微細孔を有し、透湿性を有する樹脂フィルム、撥水不織布等の不織布、これらと他のシートとのラミネート体等を用いることができる。
【００６２】
上層５（上層吸収性コア５０）及び下層６（下層吸収性コア６０）を構成する吸水性材料としては、当該技術分野において従来用いられている各種のものを特に制限なく用いることができ、例えば、木材パルプ等の天然セルロース繊維、親水性合成繊維等の繊維材料；粒子状、繊維状等の所定形状の吸水性ポリマー等が挙げられ、これらの１種を単独で又は２種以上を組み合わせて用いることができる。
【００６３】
上層５（上層吸収性コア５０）の坪量は、好ましくは１５０ｇ／ｍ2以上、更に好ましくは２００ｇ／ｍ2以上、そして、好ましくは６００ｇ／ｍ2以下、更に好ましくは５００ｇ／ｍ2以下、より具体的には、好ましくは１５０ｇ／ｍ2以上６００ｇ／ｍ2以下、更に好ましくは２００ｇ／ｍ2以上５００ｇ／ｍ2以下である。
下層６（下層吸収性コア６０）の坪量は、好ましくは１５０ｇ／ｍ2以上、更に好ましくは２００ｇ／ｍ2以上、そして、好ましくは７００ｇ／ｍ2以下、更に好ましくは６００ｇ／ｍ2以下、より具体的には、好ましくは１５０ｇ／ｍ2以上７００ｇ／ｍ2以下、更に好ましくは２００ｇ／ｍ2以上６００ｇ／ｍ2以下である。
上層５（上層吸収性コア５０）と上層５（上層吸収性コア５０）とは、坪量が同じでも異なっていても良い。
【００６４】
また、上層５（上層吸収性コア５０）と下層６（下層吸収性コア６０）とは、組成が同じでも異なっていても良く、後者の場合、上層５と下層６とで尿等の排泄液に対する機能を異ならせることができる。例えば、上層吸収性コア５０は、木材パルプが吸水性ポリマーよりも多く含有されているようにし、下層吸収性コア６０は、吸水性ポリマーが木材パルプよりも多く含有されているようにすると、上層５は液拡散機能、下層６は液保持機能に優れるようになり、上層５では主として液拡散、下層６では主として液保持というような機能分担が可能となる。更に、斯かる構成において、上層５と下層６との間に介在される中間シート１０が液拡散性に優れるものであると、吸収体４全体として液拡散性が一層向上し得る。液拡散性に優れる中間シート１０としては、例えば、架橋パルプ、レーヨン、マーセル化パルプ等の嵩高となる親水性繊維を１０質量％以上配合した紙が挙げられる。
【００６５】
上層５（上層吸収性コア５０）における木材パルプ等の繊維材料と吸水性ポリマーとの含有質量比（繊維材料／吸水性ポリマー）は、好ましくは０．７５以上、更に好ましくは１．０以上、そして、好ましくは５．０以下、更に好ましくは３．０以下、より具体的には、好ましくは０．７５以上５．０以下、更に好ましくは１．０以上３．０以下である。
下層６（下層吸収性コア６０）における木材パルプ等の繊維材料と吸水性ポリマーとの含有質量比（繊維材料／吸水性ポリマー）は、好ましくは０．７５以上、更に好ましくは１．０以上、そして、好ましくは５．０以下、更に好ましくは３．０以下、より具体的には、好ましくは０．７５以上５．０以下、更に好ましくは１．０以上３．０以下である。
【００６６】
上層コアラップシート５１及び下層コアランプシート６１並びに中間シート１０としては、それぞれ、液透過性のシートを用いることができ、例えば、ティッシュペーパー等の紙や各種不織布、開孔フィルム等を用いることができる。これら各シート５１，６１，１０の坪量は、好ましくは１０ｇ／ｍ2以上、更に好ましくは１２ｇ／ｍ2以上、そして、好ましくは２０ｇ／ｍ2以下、更に好ましくは１８ｇ／ｍ2以下、より具体的には、好ましくは１０ｇ／ｍ2以上２０ｇ／ｍ2以下、更に好ましくは１２ｇ／ｍ2以上１８ｇ／ｍ2以下である。
【００６７】
中間シート１０は、その肌対向面側に配されている吸収性パッド１の各構成部材（表面シート２、上層５等）とは異なる色を有するシートを用いることができ、また、該シートを異なる色に着色しても良い。例えば、中間シート１０が表面シート２及び上層５（上層吸収性コア５０及び上層コアラップシート５１）とは異なる色に着色されており、吸収性パッド１を該表面シート２側から目視した場合に、該中間シート１０の着色が溝９Ａ，９Ｂの重なり部分９０を介して視認可能になされていると、着用時の位置合わせが容易になり、着用者の作業負担が軽減される。また、中間シート１０における、重なり部分９０の一部（例えば屈曲部９４）に対応する部分のみを、表面シート２及び上層５とは異なる色とすることで、該一部の視認性を高めることもできる。
【００６８】
立体ギャザー２０を構成するサイドシート２６としては、当該技術分野において従来用いられている各種のものを特に制限なく用いることができ、例えば、例えば、撥水性の不織布、樹脂フィルム製のシート、不織布と樹脂フィルムとのラミネート体等を用いることができる。また、立体ギャザー形成用弾性部材２５としては、当該技術分野において従来用いられている各種のものを特に制限なく用いることができ、糸状でも帯状でも良い。
【００６９】
図８には、本発明に係る吸収体の他の実施形態の要部が示されている。後述する他の実施形態については、前記実施形態と異なる構成部分を主として説明し、同様の構成部分は同一の符号を付して説明を省略する。特に説明しない構成部分は、前記実施形態の説明が適宜適用される。図８中の斜線を付した部分は下層６である。
【００７０】
前記実施形態においては、図１及び図３に示すように、上層５の溝９Ａ及び下層６の溝９Ｂの両方が、吸収体４（上層５，下層６）の周縁部（吸収体４の縦方向Ｘに沿う側縁部）に開放されておらずに閉鎖端部９３Ａ，９３Ｂを有していたが、本発明においては、どちらか一方のみが閉鎖端部を有していても良い。図８（ａ）に示す実施形態においては、上層５の溝９Ａのみが、吸収体４（上層５）の側縁部に開放されておらずに閉鎖端部９３Ａを有し、下層６は、該側縁部に開放されていて該側縁部に開放端部９１Ｂを有している。
【００７１】
但し、図８（ａ）に示すように、吸収体を構成する上下層のいずれか一方の溝が該吸収体の側縁部に開放されて開放端部を有していると、該開放端部を有する層（図８（ａ）に示す実施形態では下層６）の形状が吸収性パッドの着用時に崩れやすくなる。例えば下層６の形状が崩れると、前述した吸収体４の変形（図５参照）において、側部吸収体８が、実質的に前方部Ｆ側でのみ、中央吸収体７の非肌対向面と重なり、股下部Ｍ側では重なり難くなるという不都合が生じやすい。従って、前記実施形態のように、上下層それぞれの溝が、吸収体の周縁部に開放されておらずに閉鎖端部を有していることが好ましい。
【００７２】
また、図８（ａ）に示す実施形態においては、吸収体４の縦方向Ｘに沿う側部４１（重なり部分９０より横方向Ｙの外方に位置する部分）が、上層５及び下層６それぞれの側部吸収体８を含む積層構造で構成されており、斯かる吸収体の側部の構成は、前記実施形態でも、股下部Ｍ並びに前方部Ｆ及び後方部Ｒそれぞれの股下部Ｍ寄りの部分において採用されていたが（図１及び図２参照）、本発明においては、吸収体の縦方向に沿う側部は、このような上下層の側部吸収体の積層構造ではなく、上下層のうちの何れか一層の側部吸収体のみを含んで構成されていても良い。図８（ｂ）及び図８（ｃ）に示す実施形態においては、下層６の溝９Ｂが、上層５の側部吸収体８の側縁８ｓを跨いでいることに起因して、吸収体４の側部４１は、横方向Ｙの外方側から順に、下層６の側部吸収体８及び上層５の側部吸収体８で構成されており、上下層５，６のうちの何れか一層のみを含んで構成されている。また、図８（ｃ）に示す実施形態においては、下層６の溝９Ｂのみが、吸収体４（下層６）の周縁部に開放されておらずに閉鎖端部９３Ｂを有し、上層５は、該周縁部の一部である側縁部に開放されていて該側縁部に開放端部９１Ａを有している。
【００７３】
但し、図８（ｂ）及び図８（ｃ）に示すように、吸収体の縦方向に沿う側部が、該吸収体を構成する上下層のうちの何れか一層の側部吸収体のみを含んで構成されていると、該側部の吸収容量が低下し、特に吸収性パッドの着用時に着用者が横向きに寝た場合に横漏れが生じやすくなるという不都合が生じやすい。従って、前記実施形態のように、吸収体の縦方向に沿う側部は、該吸収体を構成する上下層それぞれの側部吸収体を含む積層構造で構成されることが好ましい。
【００７４】
以上、本発明をその好ましい実施形態に基づき説明したが、本発明は前記実施形態に制限されない。例えば、前記実施形態では、上層５においては、上層吸収性コア５０の肌対向面のみが１枚の上層コアラップシート５１によって被覆され、下層６においては、下層吸収性コア６０の肌対向面及び非肌対向面の両面が１枚の下層コアラップシート６１によって被覆されていたが、これとは逆に、上層５においては、上層吸収性コア５０の肌対向面及び非肌対向面の両面が１枚の上層コアラップシート５１によって被覆され、下層６においては、下層吸収性コア６０の肌対向面のみが１枚の下層コアラップシート６１によって被覆されていても良く、あるいは両層５，６共に、各吸収性コアの肌対向面のみ又は肌対向面及び非肌対向面の両面が１枚のコアラップシートによって被覆されていても良い。
【００７５】
また、前記実施形態においては、図２に示すように、下層６の溝９Ｂを画成する相対向する側壁９６，９６の両方が、該溝９Ｂに対応する上層５の溝９Ａを画成する相対向する側壁９５，９５の両方よりも横方向Ｙの外方に位置することによって、溝９Ｂの方が溝９Ａに比して幅が大きい状態（幅９ＷＡ＜幅９ＷＢ）になされていたが、溝９Ｂの両側壁９６，９６のうちの一方のみが、これに対応する溝９Ａの側壁９５，９５のうちの一方よりも横方向Ｙの外方に位置し、他方の側壁９６，９５どうしは、横方向Ｙにおいて同位置に存していても良く、斯かる形態でも、幅９ＷＡ＜幅９ＷＢを実現可能である。前述した一の実施形態のみが有する部分は、すべて適宜相互に利用できる。
【００７６】
前述した本発明の実施形態に関し、更に以下の付記（吸収性パッド）を開示する。
【００７７】
＜１＞
肌対向面を形成する表面シート、非肌対向面を形成する裏面シート及び両シート間に介在された吸収体を具備する本体を備え、着用者の前後方向に相当する縦方向とこれに直交する横方向とを有する吸収性パッドであって、
前記吸収体は、着用時に着用者の股下に対向配置される股下部と、該股下部よりも着用者の腹側に配される前方部と、該股下部よりも着用者の背側に配される後方部とを縦方向に有し、且つ上層と該上層の非肌対向面側に配される下層とからなる積層構造を含んで構成されており、
前記上層及び前記下層は、それぞれ、中央吸収体と、該中央吸収体の両側部に設けられた一対の側部吸収体とを具備し、且つ該中央吸収体と一対の該側部吸収体それぞれとの間に、当該層を厚み方向に貫通する溝を有し、
前記上層の前記溝は、前記下層の前記中央吸収体及び前記側部吸収体とは重ならずに、該下層の前記溝と重なっており、
前記上層の前記溝は、平面視において前記股下部に縦方向に延びる直線状部を有し、且つ該直線状部の縦方向前端から縦方向前方且つ横方向外方に向かって延びる屈曲部を有する吸収性パッド。
【００７８】
＜１−２＞
前記上層の前記溝及び前記下層の前記溝の少なくとも一方は、前記吸収体の周縁部に開放されておらずに閉鎖端部を有する前記＜１＞記載の吸収性パッド。
＜１−３＞
少なくとも前記上層の前記溝は、前記吸収体の周縁部に開放されておらずに閉鎖端部を有する前記＜１＞又は＜１−２＞記載の吸収性パッド。
【００７９】
＜２＞
前記上層の前記溝及び前記下層の前記溝の両方が、前記吸収体の周縁部に開放されておらずに閉鎖端部を有している前記＜１＞〜＜１−３＞の何れか１に記載の吸収性パッド。
＜３＞
前記下層の前記溝のみが、前記吸収体の周縁部に開放されておらずに閉鎖端部を有し、前記上層は、該周縁部の一部である側縁部に開放されていて該側縁部に開放端部を有している前記＜１＞又は＜２＞記載の吸収性パッド。
＜４＞
前記吸収体の縦方向に沿う側部は、前記上層及び前記下層それぞれの前記側部吸収体を含む積層構造で構成されている前記＜１＞〜＜３＞の何れか１に記載の吸収性パッド。
＜５＞
前記吸収体の縦方向に沿う側部は、前記上層及び前記下層のうちの何れか一層の前記側部吸収体のみを含んで構成されている前記＜１＞〜＜３＞の何れか１に記載の吸収性パッド。
＜６＞
前記下層の前記溝は、前記上層の前記側部吸収体の縦方向に沿う側縁を跨いでおり、それによって、前記吸収体の縦方向に沿う側部は、横方向の外方側から順に、該下層の前記側部吸収体及び該上層の該側部吸収体で構成されており、該上層及び該下層のうちの何れか一層のみを含んで構成されている前記＜５＞記載の吸収性パッド。
【００８０】
＜７＞
前記上層の前記溝と前記下層の前記溝とは平面視形状が互いに相似の関係にあり、且つ該下層の該溝の方が該上層の該溝に比して長さ及び幅が大きい前記＜１＞〜＜６＞の何れか１に記載の吸収性パッド。
＜８＞
前記下層の前記溝の幅９ＷＢは、前記上層の前記溝の幅９ＷＡに比して大きく、両者の比（幅９ＷＡ／幅９ＷＢ）は、好ましくは１．１以上、更に好ましくは１．３以上である前記＜１＞〜＜７＞の何れか１に記載の吸収性パッド。
＜９＞
前記下層の前記溝の幅９ＷＢは、前記上層の前記溝の幅９ＷＡに比して大きく、両者の比（幅９ＷＡ／幅９ＷＢ）は、好ましくは２．０以下、更に好ましくは１．８以下である前記＜１＞〜＜８＞の何れか１に記載の吸収性パッド。
【００８１】
＜１０＞
前記吸収体は、前記後方部より縦方向前方側に、縦方向前後に比して横方向の長さが短い括れ部を有し、該括れ部の縦方向に沿う側縁に、縦方向に沿って延びる直線状側縁と該直線状側縁の縦方向前端から縦方向前方且つ横方向外方に向かって延びる屈曲側縁とが存し、該屈曲側縁の延長線上又はその近傍に、前記屈曲部が存している前記＜１＞〜＜９＞の何れか１に記載の吸収性パッド。
＜１１＞
前記本体の縦方向に沿う左右両側部に、少なくとも前記股下部において着用時に着用者の肌側に向かって起立する一対の立体ギャザーが設けられており、該立体ギャザーは、該本体側を基端とし着用者の肌側に自由端をなすように起立するものであり、
前記吸収性パッドの各部を伸長させて該吸収性パッドを平面状に拡げた展開状態とした場合に、前記立体ギャザーの前記自由端は、前記直線状部よりも横方向外方に位置している前記＜１＞〜＜１０＞の何れか１に記載の吸収性パッド。
＜１２＞
前記立体ギャザーの前記基端は、前記吸収性パッドの平面視において、前記上層の前記側部吸収体の縦方向に沿う側縁又はその近傍と重なり、且つ前記直線状部に対して平行となっている前記＜１１＞記載の吸収性パッド。
【００８２】
＜１３＞
無加圧下の前記吸収体において、前記上層の前記溝の幅と該吸収体の厚みとの比（重なり部分の幅／吸収体の厚み）は、好ましくは２．０以上、更に好ましくは４．０以上である前記＜１＞〜＜１２＞の何れか１に記載の吸収性パッド。
＜１４＞
無加圧下の前記吸収体において、前記上層の前記溝の幅と該吸収体の厚みとの比（重なり部分の幅／吸収体の厚み）は、好ましくは１０．０以下、更に好ましくは７．０以下である前記＜１＞〜＜１３＞の何れか１に記載の吸収性パッド。
＜１５＞
前記上層の前記溝の幅及び前記下層の前記溝の幅は、それぞれ、好ましくは５ｍｍ以上、更に好ましくは１０ｍｍ以上である前記＜１＞〜＜１４＞の何れか１に記載の吸収性パッド。
＜１６＞
前記上層の前記溝の幅及び前記下層の前記溝の幅は、それぞれ、好ましくは４０ｍｍ以下、更に好ましくは３０ｍｍ以下である前記＜１＞〜＜１５＞の何れか１に記載の吸収性パッド。
＜１７＞
無加圧下の前記吸収体の厚み（無加圧下の前記上層と前記下層との厚みの合計）は、好ましくは１．０ｍｍ以上、更に好ましくは２．０ｍｍ以上である前記＜１＞〜＜１６＞の何れか１に記載の吸収性パッド。
＜１８＞
無加圧下の前記吸収体の厚み（無加圧下の前記上層と前記下層との厚みの合計）は、好ましくは１０．０ｍｍ以下、更に好ましくは７．０ｍｍ以下である前記＜１＞〜＜１７＞の何れか１に記載の吸収性パッド。
【００８３】
＜１９＞
前記上層の前記溝の幅は、前記吸収体の無加圧下の厚みよりも大きい前記＜１＞〜＜１８＞の何れか１に記載の吸収性パッド。
＜２０＞
前記上層と前記下層との間に中間シートが介在され、これら両層それぞれと該中間シートとが接合されている前記＜１＞〜＜１９＞の何れか１に記載の吸収性パッド。
＜２１＞
前記中間シートは、前記表面シート及び前記上層とは異なる色であり、前記吸収性パッドを該表面シート側から目視した場合に、該中間シートの色が前記上層の前記溝を介して視認可能になされている前記＜２０＞記載の吸収性パッド。
【００８４】
＜２２＞
前記上層（上層吸収性コア）及び前記下層（下層吸収性コア）のうちの一方は、他方における前記前方部側の縦方向端から縦方向の外方に延出している前記＜１＞〜＜２１＞の何れか１に記載の吸収性パッド。
＜２３＞
前記上層の前記下層の縦方向端からの延出長さは、好ましくは２０ｍｍ以上、更に好ましくは４０ｍｍ以上である前記＜２２＞記載の吸収性パッド。
＜２４＞
前記上層の前記下層の縦方向端からの延出長さは、好ましくは１２０ｍｍ以下、更に好ましくは１００ｍｍ以下である前記＜２２＞又は＜２３＞記載の吸収性パッド。
＜２４−２＞
前記上層と前記下層との間に中間シートが介在され、該中間シートは、該上層及び該下層のうちの一方の縦方向端部（前記前方部側の縦方向端部）から縦方向外方に延出する、他方の吸収性コアの縦方向延出部の一面の全域を被覆する前記＜２２＞〜＜２４＞の何れか１に記載の吸収性パッド。
＜２５＞
前記下層（下層吸収性コア）の平面視における寸法は、前記上層（上層吸収性コア）の該寸法よりも小さく、該下層は、少なくとも着用者の排泄部に対向する排泄部対向部及びその周辺部に配されている前記＜１＞〜＜２４＞の何れか１に記載の吸収性パッド。
【００８５】
＜２６＞
前記屈曲部の方が前記直線状部よりも長さ（線状の溝の長さ方向の長さ）が短い前記＜１＞〜＜２５＞の何れか１に記載の吸収性パッド。
＜２７＞
前記上層の前記溝及び前記下層の前記溝（前記重なり部分）は、前記吸収体において、前記前方部及び前記股下部にのみ形成されており、前記後方部には形成されていない前記＜１＞〜＜２６＞の何れか１に記載の吸収性パッド。
＜２８＞
前記上層及び前記下層それぞれの前記中央吸収体における、一対の前記側部吸収体に挟まれた帯状部分の横方向の長さは、好ましくは７０ｍｍ以下、更に好ましくは５０ｍｍ以下である前記＜１＞〜＜２７＞の何れか１に記載の吸収性パッド。
＜２９＞
前記上層及び前記下層それぞれの前記中央吸収体における、一対の前記側部吸収体に挟まれた帯状部分の横方向の長さは、好ましくは２０ｍｍ以上、更に好ましくは３０ｍｍ以上である前記＜１＞〜＜２８＞の何れか１に記載の吸収性パッド。
＜３０＞
前記上層及び前記下層それぞれの前記中央吸収体における、一対の前記側部吸収体に挟まれた帯状部分の横方向の長さは、該上層と該下層とで同じである前記＜１＞〜＜２９＞の何れか１に記載の吸収性パッド。
【００８６】
＜３１＞
前記吸収性パッドは、別体の吸収性物品の肌対向面側に配置して使用される前記＜１＞〜＜３０＞の何れか１に記載の吸収性パッド。
＜３２＞
前記吸収性物品は、肌対向面を形成する液透過性の表面シート、非肌対向面を形成する液不透過性の裏面シート、及び両シート間に介在された吸収体を具備しており、
前記肌対向面側の縦方向に沿う両側に、弾性部材を有する一対の立体ギャザーが設けられており、
前記吸収体の横方向外方に、弾性部材を有する一対のレッグフラップ部が設けられている前記＜３１＞記載の吸収性パッド（吸収性パッド及び吸収性物品の組み合わせ）。
＜３３＞
前記吸収性パッドは、前記吸収性物品の肌対向面側に配置された状態で、着用者の股下から腹側へ引き上げられることによって着用者の身体に装着され、斯かる吸収性パッドの装着後に、該吸収性物品が引き上げられる前記＜３１＞又は＜３２＞記載の吸収性パッド（吸収性パッド及び吸収性物品の組み合わせの装着方法）。
【符号の説明】
【００８７】
１  吸収性パッド
２  表面シート
３  裏面シート
４  吸収体
１５  本体
４０  括れ部
４Ｓ１  吸収体の直線状側縁
４Ｓ２  吸収体の屈曲側縁
５  上層
５０  上層吸収性コア
５１  上層コアラップシート
６  下層
６０  下層吸収性コア
６１  下層コアラップシート
７  中央吸収体
８  側部吸収体
９Ａ，９Ｂ  溝
９０  溝の重なり部分
９２，９２Ａ，９２Ｂ  直線状部
９２ａ，９２Ａａ，９２Ｂａ  直線状部の縦方向前端
９３，９３Ａ，９３Ｂ  閉鎖端部
９４，９４Ａ，９４Ｂ  屈曲部
１０  中間シート
１５  本体
２０  立体ギャザー
２１  基壁部
２２  弾性伸縮部
２３  接合部（立体ギャザーの基端）
２４  起立部
２５  立体ギャザー形成用弾性部材
２６  サイドシート
Ｆ  前方部
Ｍ  股下部
Ｒ  後方部
Ｘ  縦方向
Ｙ  横方向
【要約】
【課題】着用者の股下部にあて易く、着用感が良好で、吸収性能に優れる吸収性パッドを提供すること。
【解決手段】上層５及び下層６は、それぞれ、中央吸収体７と一対の側部吸収体８とを具備し、且つ中央吸収体７と一対の側部吸収体８それぞれとの間に、当該層５，６を厚み方向に貫通する溝９Ａ，９Ｂを有している。上層５の溝９Ａは、下層６の吸収体７，８とは重ならずに、下層６の溝９Ｂと重なっている。溝９Ａ及び溝９Ｂは、吸収体４の周縁部に開放されておらずに閉鎖端部９３Ａ，９３Ｂを有している。溝９Ａ（両溝９Ａ，９Ｂの重なり部分９０）は、平面視において股下部Ｍに縦方向Ｘに延びる直線状部９２を有し、且つ直線状部９２の縦方向前端９２ａから縦方向Ｘの前方且つ横方向Ｙの外方に向かって延びる屈曲部９４を有する。
【選択図】図１【図１】
0005558617.tif 000002
【図２】
0005558617.tif 000003
【図３】
0005558617.tif 000004
【図４】
0005558617.tif 000005
【図５】
0005558617.tif 000006
【図６】
0005558617.tif 000007
【図７】
0005558617.tif 000008
【図８】
0005558617.tif 000009